(57)【要約】【課題】  人体の体温維持作用と素材が有する蓄熱作用との相乗作用により、自己保温機能を向上させ、しかも、この自己保温機能の維持コストを必要とせずに長期間継続させることができる人体用保温具を提供する。【解決手段】  チタン網２はチタンを主成分とするチタン線を網状に織り、可撓性を有するように構成され、このチタン網２を人体の所定の部位に装着するために装着部材６を備えることによって、チタン網２を人体に対して近接または接合させた状態で装着する。【選択図】  図１
2005066152.tif 000002
【特許請求の範囲】
【請求項１】
チタンを主成分とするチタン線を網状に織った可撓性を有するチタン網と、人体の所定の部位に上記チタン網を装着する装着部材とを備えたことを特徴とする人体用保温具。
【請求項２】
上記チタン網は、少なくとも外側を被覆部材によって被覆した請求項１に記載の人体用保温具。
【請求項３】
上記チタン網は、上記人体に接触する端縁部に保護部を形成した請求項１に記載の人体用保温具。
【請求項４】
上記チタン網は、繊維体によって形成されたアンダーウエア等の衣料品に内装した請求項１に記載の人体用保温具。
【発明の詳細な説明】
【技術分野】
【０００１】
本発明は、チタン網を装着することにより人体を保温するようにした人体用保温具に関する。
【背景技術】
【０００２】
人体の体温、あるいは特定の部位を通常の温度に維持するための保温手段としては、従来から各種の方法が用いられている。このような保温手段は、大別して加熱によって所定の温度まで上昇させる補助加熱手段と、人体から発生する体温の放熱を防止することによって所定の温度を上昇または維持させる自己保温手段がある。補助加熱手段としては、具体的に、電気や石油ストーブ、炬燵、および、エアコン等がある。これらの加熱手段は、火傷や火災等の危険があることから就寝時には使用することが困難である。就寝時に使用可能な手段としては、電気毛布や電気敷布および電気あんか等の電力をエネルギー源とする各種機器、湯を熱源とする湯たんぽ等がある。一方、自己保温手段としては、複数枚の衣類を着用することや、複数枚の布団や毛布を掛ける等の手段が用いられている。
【０００３】
ところが、特に女性においては、いわゆる冷え性と言われる症状があり、このような人は常に冷たい感覚をもっている。このような冷え性の人は、図９に示すように、敷き布団１００と掛け布団１０１との間に、例えば電気あんか１０２等の補助加熱手段を置き、さらに、足には保温用の靴下１０３を履く等、自己保温手段によって通常の温度を維持させようとしている。
【０００４】
しかしながら、上記電気あんか１０２、あるいは、電気毛布、電気敷布等の補助加熱手段は、電力をエネルギー源とするために電気料等の費用が必要であり、しかも、低温火傷等を発症させる虞がある。また、自己保温手段としての靴下１０３は、空気を蓄えることによる保温性は有するものの、毛糸等の繊維の隙間から熱が逃げるために保温効果が不十分なことが多く、このために、上記補助加熱手段を併用している。このように、特に冷え性の人は、多種多様な手段によって正常の温度に上昇させる努力を行っているのが実態である。また、一般の人にとっても、寒さを克服するために、上記補助加熱手段や自己保温手段を用いて心地よい体温あるいは温度に上昇させる努力をしているのが実態である。
【発明の開示】
【発明が解決しようとする課題】
【０００５】
本発明が解決しようとする課題は、人体の体温維持作用と素材が有する蓄熱作用との相乗作用により、自己保温機能を向上させ、しかも、この自己保温機能の維持コストを必要とせずに長期間継続させることができる人体用保温具を提供することにある。
【課題を解決するための手段】
【０００６】
上記課題を解決するため、請求項１の発明は、チタンを主成分とするチタン線を網状に織った可撓性を有するチタン網と、人体の所定の部位に上記チタン網を装着する装着部材とを備えたことを要旨とする。
【０００７】
また、請求項２の発明は、上記チタン網の少なくとも外側を被覆部材によって被覆することを要旨とする。
【０００８】
さらに、請求項３の発明は、人体に接触する上記チタン網の端縁部に保護部を形成することを要旨とする。
【０００９】
さらにまた、請求項４の発明は、繊維体によって形成されたアンダーウエア等の衣料品に上記チタン網を内装することを要旨とする。
【発明の効果】
【００１０】
本発明によれば、チタンを主成分とするチタン網は蓄熱作用を有することから、人体から発せられた体温の蓄熱と人体への放熱を繰り返す相乗作用によって、人体を正常な体温に上昇または維持させることが可能となる。また、チタン網は可撓性を有することから、人体の装着部位の形状に合わせて外皮に接合させることによって、容易に上記相乗効果を奏することが可能となる。さらに、チタン網は軽量のために、装着部材によって装着しても違和感を小さくすることが可能となる。
【００１１】
また、請求項２に記載の発明によれば、チタン網に被覆部材を被覆することによって、２０％以上の開孔率を有するチタン網の隙間から、体温と蓄熱が人体と反対側の外方に逃げることを減少させ、上記相乗効果をさらに高めることが可能となる。
【００１２】
さらに、請求項３の発明によれば、硬質の金属からなるチタン網の端縁に保護部を形成することによって、人体が負傷することを未然に防止することが可能となる。
【００１３】
さらにまた、請求項４に記載の発明によれば、チタン網を衣料品に内装することによって蓄熱効果が向上し、上記相乗効果を高めることが可能となる。また、チタン網が可撓性を有することから蓄熱作用を助長させることが可能となる。さらに、チタン網は通気性を有することから、人体から発する水分が開孔から放出され、チタン網を内装しても衣料品の爽快感を維持させることが可能となる。
【発明を実施するための最良の形態】
【００１４】
人体用保温具において、チタン網はチタンを主成分とするチタン線を網状に織り、可撓性を有するように構成されている。このチタン網を人体の所定の部位に装着するために、装着部材を備えることによって、チタン網を人体に対して近接または接合させた状態で装着できるようにしている。
【実施例１】
【００１５】
図１は、本発明に関わる人体用保温具の第１の実施形態として、特に足のつま先を保温する保温具の一例を示している。足先用保温具１は、チタン網２によって、足３のつま先３ａから甲３ｂまでの表裏を包囲するように略カップ状に形成されている。すなわち、足先用保温具１の先端側は、図３に示すように、足２の親指から小指までの各々の指の先端が接触可能にやや傾斜させている。また、足先用保温具１の開口端は、表側が足３の甲３ｂのほぼ中央まで包囲すると共に、裏側が足３の土踏まず３ｃのほぼ前方までを包囲するように形成されている。
【００１６】
上述の足先用保温具１に形成されたチタン網２は、図２に示すように、可撓性を有するチタン線を織ることによって金網状に形成すると共に、任意に屈曲可能なように可撓性を有している。金属材としてのチタンは、蓄熱性を有することから、金属加工においては、加工時に発生する熱が内部に蓄積されることから、特に切削加工には不向きと言われているが、展延性を有することから鍛造加工や圧延加工は可能である。従って、チタン材から線径０．０５ｍｍ乃至１．０程度のチタン線を形成することができる。このチタン線を使用して、通常の金網と同様の平織、綾織、平畳織、あるいは、亀甲織、等々の織り方によってチタン線が形成される。
【００１７】
足先用保温具１に使用されるチタン網２としては、蓄熱性と通気性が必要なことから、線径０．８ｍｍ乃至０．０６ｍｍのチタン線によって、メッシュ数を１０乃至１５０とし、さらに、開孔率を５０％以下、２５％以上とすることが好ましい。つまり、チタン線の線径が０．８ｍｍ以上の場合には、蓄熱効率は高くなるが、可撓性が損なわれるために、足先用保温具１としての使用感が悪化する。一方、チタン線の線径が０．０５ｍｍ以下の場合には、可撓性が良く使用感が良好になるが、蓄熱効率が低下するため好ましくない。また、開孔率が５０％を越える場合には、人体の体温が通過して保温効率が悪化するために好ましくない。一方、開孔率が２５％以下の場合には、可撓性が阻害されるために使用感が悪化する。このように、足先用保温具１としては、蓄熱効率と通気性および使用感が良好となるようなチタン線の線径、メッシュ数および開孔率を適宜に設定されたチタン網２が選択される。このようなチタン網２は、適宜の寸法に裁断した後に、図１に示す足先用保温具としての形状に圧縮形成される。
【００１８】
チタン網２によって形成された足先用保温具１の外側は、被覆部材４によって被覆されている。被覆部材４は、保温性または断熱性を有するように内部に多くの空気を含むことが可能な毛糸を編んだ布、あるいは不織布、または、可逆性を有する発泡ウレタン樹脂等の発泡合成樹脂から適宜選択される。
【００１９】
そして、図１においてＡが付された円内に示すように、足先用保温具１の開口端の端縁部において、被覆部材４を内面まで折り返すことによって保護部５を形成している。後述するように、チタン網２は硬質の金属からなるチタン線を編むことによって形成されていることから、開口端の端縁が人体の足３に接触することにより、場合によっては鋭利な先端部分が足３に傷を負わせる可能性がある。足先用保温具１の端縁部に保護部５を形成することによって、このような負傷を未然に防止することができる。また、図１においてＢが付された円内に示すように、チタン網２の端縁部分を折り返すことによって保護部５を形成するようにしても良い。
【００２０】
また、足先用保温具１の側面には、足３に装着するための装着部材としての平ゴム６が止着されている。そして、図１に示すように、足先用保温具１を開口側から挿入して先端側内面を足のつま先に当接した状態で平ゴム６の中間部分をかかとに掛けることによって装着される。装着部材としては、かかとに掛ける平帯の一端をチタン網２または被覆部材４に止着し、他端をマジックテープによって着脱自在に固定することによってチタン網２を装着するようにしても良い。装着部材としては、その他にもチタン網２または被覆部材４と足３との間を粘着テープによって固定するようにしても良い。つまり、足３に装着したチタン網２が容易に離脱しないような手段であれば、他の装着部材を使用しても良い。  
【００２１】
次に、上述したように構成された足先用保温具１の作用について説明する。足先用保温具１を足３に装着すると、まず、図４に示す一点鎖線の矢印のように、足３から放射される熱がチタン網２に伝達してチタン網２の内部に蓄熱される。その後、チタン網２内の蓄熱が飽和すると、次にチタン網２から蓄熱された熱が、図４に示す実線の矢印のように、足３に向けて放射することによって足３が加熱され、足３の温度が上昇する。その後は、足３から放射する熱をチタン網２が蓄熱すると共に、蓄熱された熱を足３に向けて放射する動作を相互に行い、相乗作用によって足３が一定の温度に保温される。チタン網２から放射される熱は、足３の方向以外にも放射されるが、チタン網２の外側には、上述した被覆部材４によって被覆されているので、足先用保温具１に内部は一定の温度に保温される。
【００２２】
このように、足３を保温することにより足３から汗等の水分が発散する。チタン網２は、上述したように、５０％乃至２５％の開孔率を有していて通気性があるので、この水分は、図４の点線の矢印で示すように、チタン網２の開孔を通過して外部に放出される。このため、足先用保温具１に内部は、一定の温度と湿度に保たれ、爽快感を維持することが可能となる。
【００２３】
また、チタンからはマイナスイオンが放射される。このマイナスイオンの量は、温度が摂氏２０度、湿度３０％乃至５０％の環境において測定したところ、少なくとも２５０ＮＳ／ｃｃ以上が発生している。この発生量は、温度と湿度によっても変化し、足３の温度が２５度乃至３５度、湿度７０％乃至９５％の状態ではさらに増加する。足先用保温具１を装着することによって、チタン網２から放射されたマイナスイオンが皮膚を浸透して体内に注入され、常に森林浴等を行っている状態と同じ状態にすることができ、この結果、人体に対して森林浴を行っている場合と等価な活性化効果が得られる。
【実施例２】
【００２４】
図５は、本発明の第２の実施形態として、チタン網２を靴下７の内面に装着した靴下用保温具１０を示している。靴下用保温具１０は、上述したチタン網２を靴下７のつま先部分の内面に設けている。なお、図５においては、チタン網２の下側を足３の土踏まずを覆うように延長させている。このチタン網２は靴下７に接着あるいは縫合等の適宜の手段によって固着される。靴下用保温具１０においては、チタン網２を靴下７の内面に装着することによって、靴下７が前述した被覆部材４の役割を果たし、チタン網２に蓄熱された熱を外方に放出されることを抑制すると共に、足３から発散する水分を外方に放出する。
【００２５】
一方、靴下用保温具１０は、足３のつま先の保温に限らず、足３の足首やふくらはぎ等にチタン網１１を装着して保温することができる。すなわち、図５で示した靴下用保温具１０においては、足首からふくらはぎに至る部位の内面にチタン網１１が装着されている。チタン網１１は、可撓性を有するものの、チタン線の織り方にもよるが伸縮性は有していない、そこで、チタン網１１を靴下７の内部に装着する場合には、周方向を１個所乃至複数個所に分割し、靴下７を履くときには、分割された各チタン網１１が互いに離間して大きな直径となるように形成することが望ましい。装着後は、各チタン網１１の間は靴下７自体の伸縮によって足３にフィットした状態で装着される。
【００２６】
図５に示す実施形態においても、前述した足先用保温具１と同様に、靴下用保温具１０を足３に装着すると、まず、足３から放射される熱がチタン網１１に伝達して蓄熱される。その後、チタン網１１に蓄熱された熱が足３の足首やふくらはぎに向けて放射され、足３を加熱して足３の温度を上昇させる。その後は、足３の足首やふくらはぎから放射する熱をチタン網１１が蓄熱し、蓄熱された熱を足３に向けて放射するといった相乗作用によって足３が一定の温度に保温される。このとき、チタン網１１から放射される熱のうち、足３の方向以外にも放射される熱は、被覆部材としての靴下７によって遮断され、靴下用保温具１０の内部は一定の温度に保温される。
【実施例３】
【００２７】
図６は、本発明の第３の実施形態として、靴の中敷きに適用した靴用保温具２０を示している。即ち、靴８の底部には、略足形に形成されてほぼ平面状のチタン網２１が装着されている。このチタン網２１はチタン線を平面状に織った後に、略足形に裁断することによって形成され、通常の中敷きと同様に、チタン網２１を靴８の底面に装着する。
【００２８】
そして、チタン網２１が装着された靴８を履くことにより、足３の底面がチタン網２１に接合すると、まず、足３から放射される熱がチタン網２１に伝達して蓄熱される。その後、チタン網２１に蓄熱された熱が足３の底面に向けて放射され、足３を加熱することによって足３の温度を上昇させる。その後は、足３の底面から放射する熱をチタン網２１が蓄熱し、蓄熱された熱を足３に向けて放射するといった相乗作用によって足３が一定の温度に保温される。このとき、チタン網２１から放射される熱は足３の方向以外にも放射されるが、靴８が被覆部材となって熱を遮断することにより、靴８内の温度を一定に保温することができる。
【実施例４】
【００２９】
図７および図８は、本発明の第４の実施形態として、チタン網をアンダーウエアの内部に装着した下着用保温具３０を示している。人体において、各種の疾病は、血液の循環の悪化によって引き起こされることが多々ある。その対策としては、身体を暖めることによって血液の循環を良くすることが好ましいと言われている。下着用保温具３０は、人体における必要な部位に対してチタン網を装着することによって暖めるようにしている。
【００３０】
図７はアンダーシャツ３３を示し、この肩部に対応する部位の内面には、前述したチタン網と同様のチタン網３１が装着されている。アンダーシャツ３３の肩部に装着されるチタン網３１は、肩から背中の上部を覆うような形状に形成されている。また、アンダーシャツ３３の腰部に対応する部位の内面には、略四角形に形成されたチタン網３２が装着されている。
【００３１】
一方の肩部に対応する部位に装着されたチタン網３１は、人体の肩部に接合することによって、特に肩こりの症状を緩和させる作用を有している。また、腰部に対応する部位に装着されたチタン網３２は、特に腰痛の症状を緩和させる作用を有している。すなわち、前述したチタン網と同様に、チタン網３１または３２が装着されたアンダーシャツ３３を着用することにより、肩部または腰部から放射される熱がチタン網３１または３２に伝達して蓄熱される。その後、チタン網３１または３２に蓄熱された熱が肩部または腰部に向けて放射されて加熱する。その後は、チタン網３１または３２は、蓄熱と放射を行い、肩部または腰部の熱との相乗作用によって肩部または腰部が暖められる。この結果、血液の循環が促進されて肩こりや腰痛の症状を緩和させる。また、チタン網３１または３２から放射されるマイナスイオンによって、血液の循環が促進され、さらに肩こりや腰痛の症状を緩和させることができる。
【００３２】
図８は、パンツ３４を示し、この下腹部に対応する部位の内面には、前述したチタン網と同様のチタン網３５が装着されている。このチタン網３５は、下腹部のほぼ全面を覆うように略四角形に形成されている。そして、チタン網３５が装着されたパンツ３４を着用することにより、下腹部から放射される熱がチタン網３５に伝達して蓄熱される。その後、チタン網３５に蓄熱された熱が下腹部に向けて放射され、その後、チタン網３５による蓄熱と放射と下腹部の熱との相乗作用によって下腹部が暖められる。この結果、下腹部を正常な温度に保温されると共に血液の循環が促進される。また、チタン網３５から放射されるマイナスイオンによって、さらに血液の循環が促進される。このように、体温を正常な値に維持させると共に血液の循環を促進することによって、頻尿や冷えによる腹痛等の症状を緩和させることができる。
【００３３】
上述した第４の実施形態において、アンダーシャツ３３やパンツ３４に内面にチタン網を装着したが、アンダーシャツ３３やパンツ３４におけるチタン網を装着する対応部分を二重にして袋状に形成し、この内部にチタン網を内装させるようにしてもよい。
【００３４】
ここで、上述したチタン網から発生するマイナスイオンについて効果を医学的に考察すると、いわゆる疾患が発生する前兆としては、血液内の活性酸素が増大して酸性度が大きくなることがわかっている。そこで、上記チタン網からマイナスイオンを注入することにより、人体の血液に作用してマイナスイオン化し、この血液が体内を循環することにより、体内の血液がマイナスイオン化され、血液を弱アルカリ性に変化させる。このため、血液の循環が活発になって疾患の原因である活性酸素が緩やかに燃焼することにより減少し、各種の疾患が穏やかに治癒されることになる。
【００３５】
以上説明した各実施形態の他に、本発明のチタン網は、敷き布団の敷布、カーペット、座布団、あるいは、椅子やソファー等にも適用可能であり、用途を限定するものではないことは勿論である。
【産業上の利用可能性】
【００３６】
本発明は、人体に近接または接合することにより、必要な部位を保温する保温具に適用可能である。
【図面の簡単な説明】
【００３７】
【図１】本発明に関わる人体用保温具として足先用保温具を示す説明断面図である。
【図２】本発明に関わる人体用保温具のチタン網を示す拡大斜視図である。
【図３】本発明に関わる人体用保温具のチタン網を示す正面図である。
【図４】本発明に関わる人体用保温具の作用を示す説明図である。
【図５】本発明に関わる人体用保温具として靴下用保温具を示す説明断面図である。
【図６】本発明に関わる人体用保温具として靴用保温具を示す説明断面図である。
【図７】本発明に関わる人体用保温具としてアンダーシャツを示す正面図である。
【図８】本発明に関わる人体用保温具としてパンツを示す正面図である。
【図９】従来の保温装置を示す側面説明図である。
【符号の説明】
【００３８】
１  足先用保温具
２  チタン網
３  足
４  被覆部材
５  保護部
６  平ゴム（装着部材）
７  靴下
１０  靴下用保温具
１１  チタン網
２０  靴用保温具
２１  チタン網
３３  アンダーシャツ
３１  チタン網
３２  チタン網
３４  パンツ
３５  チタン網
【図１】
2005066152.tif 000003
【図２】
2005066152.tif 000004
【図３】
2005066152.tif 000005
【図４】
2005066152.tif 000006
【図５】
2005066152.tif 000007
【図６】
2005066152.tif 000008
【図７】
2005066152.tif 000009
【図８】
2005066152.tif 000010
【図９】
2005066152.tif 000011